(57)【要約】      （修正有）【課題】鉄環が、弛んで分離すことなく、安定的にハブの収納区に設置される係合座付けのハブ構造を提供する。【解決手段】収納区を有するハブ１と、ハブの外縁に設置される多数の羽根２と、収納区の底部にある、収納区の壁面の近くに設置される多数の係合座とからなる。その中、係合座には、円弧形状である、端部がそれぞれ収納区の壁面へ延びるフック部があり、また、フック部の端部には、傾斜部がある。多数の係合座が、ファンに必要される鉄環３と係合する。【選択図】図３
0003107542.tif 000002
【実用新案登録請求の範囲】
【請求項１】
収納区を有するハブと、
当該ハブの外縁に設置される多数の羽根と、
当該ハブの内縁に設置され、それぞれの端部には、フック部が延びる多数の係合座があることを特徴とする、係合座付けのハブ構造。
【請求項２】
当該多数の係合座は、当該収納区の底部に設置される、ことを特徴とする、請求項1に記載の係合座付けのハブ構造。
【請求項３】
当該多数の係合座は、当該収納区の壁面の近くに設置される、ことを特徴とする、請求項1に記載の係合座付けのハブ構造。
【請求項４】
当該多数の係合座端部のフック部は、当該収納区の壁面へ延びる、ことを特徴とする、請求項1に記載の係合座付けのハブ構造。
【請求項５】
当該多数の係合座は、それぞれ、円弧形状である、ことを特徴とする、請求項1に記載の係合座付けのハブ構造。
【請求項６】
当該多数の係合座の端部には、傾斜部がある、ことを特徴とする、請求項1に記載の係合座付けのハブ構造。
【請求項７】
当該多数の係合座と当該収納区の壁面との間には、それぞれ、適当な間隔がある、ことを特徴とする、請求項1に記載の係合座付けのハブ構造。
【考案の詳細な説明】
【技術分野】
【０００１】
本考案は、係合座付けのハブ構造に関し、特に、ファンに必要される鉄環に係合されることにより、鉄環が弛んで分離することなく、安定的にハブの収納区に設置される係合座に関する。
【背景技術】
【０００２】
一般の、従来のハブ構造（図５参照）には、ハブ４があり、当該ハブ４の中央部には、芯軸４１が設置され、また、当該ハブ４の周縁には、一つ以上の羽根４２が連接され、当該ハブ４の内縁には、鉄環４３が設置され、当該鉄環４３上には、磁気体４４が設置され、これにより、前記の構造がファンセットに連接され、気流を案内する効果が実現される。
【０００３】
しかしながら、前記の従来構造において、当該鉄環４３は、グルーや熱張冷縮により、当該ハブ４の内縁に固設され、このような方法によっては、当該鉄環４３がハブ４の内縁に固設されるが、当該羽根が、有る期間、使用された後、或いは、長時間使用し続ける状態では、グルーが変質するためや、ファンが長時間稼働することにより過熱という現象が起こるため、当該鉄環４３とハブ４との間に、隙間が形成されるから、弛む現象や分離する現象が起こり、ファンが正常に稼働できなくなり、そのため、一般の、従来のハブ構造は、実用的であるものとは言えない。
【考案の開示】
【考案が解決しようとする課題】
【０００４】
そのため、本考案の主な目的は、ファンに必要される鉄環に係合されることにより、弛んで分離する現象を起こさず、当該鉄環が安定的にハブの収納区に設置される、多数の係合座を提供する。
【課題を解決するための手段】
【０００５】
本考案の係合座付けのハブ構造は、収納区を有するハブと、当該ハブの外縁に設置される多数の羽根と、当該ハブの内縁に設置され、それぞれの端部には、フック部が延びる多数の係合座があることを特徴とする。
【考案の効果】
【０００６】
本考案に係わる係合座付けのハブ構造改良は、有効的に、従来の様様な欠点を改善でき、当該鉄環は、長時間使用や過熱により、ハブと鉄環とが、弛んで分け離す現象が起こさず、安定的にハブの収納区に設置され、本考案は、より進歩的かつ実用的なもので、ユーザーの要請に満足できる。
【考案を実施するための最良の形態】
【０００７】
図１、１Ａ、２、２Ａは、それぞれ、本考案の立体外観概念図、本考案の係合座の立体外観概念図、本考案の断面状態概念図、及び本考案の係合座の断面状態概念図である。本考案は、図のように、係合座付けのハブ構造改良であり、ハブ１と、多数の羽根２と、多数の係合座１４とからなり、これにより、ファンに必要される鉄環３は、安定的に当該ハブ１に係合される。
【０００８】
上記のハブ１には、収納区１１があり、当該ハブ１の収納区１１の底部には、当該ハブ１構造の強度を強化するための多数のリブ（図に表示せず）が設置され、当該多数の羽根２は、当該ハブ１の外縁に設置され、当該多数の羽根２は、奇数でもいいし、偶数でもいいが、当該多数の羽根２は、同一な間隔を置いて、ハブ１の外縁に設置され、また、当該多数の羽根２は、翼形状や曲面形状、斜面形状或いは円弧形状であり、
当該多数の係合座１４は、上記のハブ１の収納区１１の底部にある、当該収納区の壁面の近くに設置され、当該多数の係合座１４と収納区１１の壁面との間には、それぞれ、適当な間隔があり、当該多数の係合座１４には、それぞれ、円弧形状である、端部がそれぞれ収納区１１の壁面へ延びるフック部１５があり、また、当該フック部１５の端部には、傾斜部１６がある。上記の構造により、改良された、新しい係合座付けのハブ構造が構成され、当該鉄環３は、当該多数の係合座１４が、ファンに必要される鉄環３と係合されることにより、弛んで分け離す現象が行わず、安定的にハブ１の収納区１１に設置される。
【０００９】
図３、４、４Ａは、それぞれ、本考案の使用状態断面概念図や本考案の組合せ後の使用状態断面概念図及び本考案の組合せ後の係合座の使用状態断面概念図である。本考案によれば、図のように、ファンに必要される鉄環３に結合される時(当該鉄環３内縁には、磁気体が環設されている)、当該鉄環３を、ハブ１の収納区１１に対応する位置に位置付けた後、当該鉄環３を押し入れて、当該鉄環３の端部が、当該多数の係合座１４のフック部１５の端部に設けられる傾斜部１６に当接させ、当該鉄環３の端部により、当該傾斜部１６を介して、当該係合座１４を内へ押すことにより、当該鉄環３が収納区１１の底部に押し入れられ、これにより、当該多数の係合座１４のフック部１５から鉄環３の内縁への回復力が生成され、そして、当該フック部１５が鉄環３の内縁に係合され、これにより、鉄環３の組合せが終了され、ここで、当該円弧形状を有する多数の係合座１４は、当該鉄環３の内縁に係合され、当該鉄環３は、当該多数の係合座１４がファンに必要される当該鉄環３に係合されることにより、弛んで分離する現象が行われず、安定的にハブ１の収納区１１に設置される。
【００１０】
以上の説明は、ただ、本考案のより良い実施例であり、本考案の実施範囲は、其れによって、制限されなく、本考案の実用新案登録請求の範囲や明細書の内容に従って、等価な変化や修正は、実用新案登録請求の範囲に含まれる。
【図面の簡単な説明】
【００１１】
【図１】本考案の立体外観概念図である。
【図１Ａ】本考案の係合座の立体外観概念図である。
【図２】本考案の断面状態概念図である。
【図２Ａ】本考案の係合座の断面状態概念図である。
【図３】本考案の使用状態断面概念図である。
【図４】本考案の組合せ後の使用状態断面概念図である。
【図４Ａ】本考案の組合せ後の係合座の使用状態断面概念図である。
【図５】従来の使用状態断面概念図である。
【符号の説明】
【００１２】
（本考案部分）
１            ハブ
１１          収納区
１２          芯軸
１４          係合座
１５          フック部
１６          傾斜部
２            羽根
３            鉄環
（従来部分）
４            ハブ
４１          芯軸
４２          羽根
４３          鉄環
４４          磁気体
【図１】
0003107542.tif 000003
【図１Ａ】
0003107542.tif 000004
【図２】
0003107542.tif 000005
【図２Ａ】
0003107542.tif 000006
【図３】
0003107542.tif 000007
【図４】
0003107542.tif 000008
【図４Ａ】
0003107542.tif 000009
【図５】
0003107542.tif 000010